(57)【要約】【課題】保管スペースを極力少なくできると共に、迅速に使用状態にできる簡易ヘルメットを提供する。【解決手段】当該簡易ヘルメット１は、人の頭部が進入可能とされる貫通孔２を有している厚板材３と、厚板材３の貫通孔２内に伸縮可能に収納され、一端側が貫通孔２内周面に保持されている一方、他端側が厚板材３の上面から上方に伸張可能とされている伸縮筒４と、伸縮筒４の他端側に貫通孔２を覆うように設けられて外部からの衝撃を緩和する保護板５と、を備えている。これにより、使用しない通常には、厚板材３の貫通孔２内に伸縮筒４を短縮状態で収納した状態とし、その一方、使用時には、貫通孔２における下側開口に頭部１０を臨ませつつ、厚板材３を押し下げることにより、伸縮筒４を、直ちに上方に伸張させると共に、その伸張した伸縮筒４内に頭部１０を入れ込む。【選択図】        図５
0003173012.tif 000002
【実用新案登録請求の範囲】
【請求項１】
人の頭部が進入可能とされる貫通孔を有し該該貫通孔を区画しつつ該貫通孔から周囲に張り出した状態とされる厚板材と、
前記厚板材の貫通孔内に伸縮可能に収納され、一端側が前記貫通孔内周面に保持されている一方、他端側が該厚板材の肉厚方向一方側板面から該肉厚方向一方側外方に伸張可能とされている伸縮筒と、
前記伸縮筒の他端側に前記貫通孔を覆うように設けられて、外部からの衝撃を緩和する保護部材と、
が備えられている、
ことを特徴とする簡易ヘルメット。
【請求項２】
請求項１において、
前記保護部材が板状に形成されていると共に、該板状の保護部材の周縁部が、前記伸縮筒の短縮時において前記貫通孔の周縁部に当接されるように設定されている、
ことを特徴とする簡易ヘルメット。
【請求項３】
請求項２において、
前記保護部材の肉厚が、径方向内方に向かうほど厚くなるように設定されている、
ことを特徴とする簡易ヘルメット。
【請求項４】
請求項２において、
前記貫通孔が、前記厚板材の肉厚方向一方側から該厚板材の肉厚方向他方側に向かうに従って拡径されるように形成され、
前記貫通孔における前記厚板材の肉厚方向他方側開口が、前記保護部材を収納できる大きさに設定されている、
ことを特徴とする簡易ヘルメット。
【請求項５】
請求項１〜４のいずれか１項において、
前記厚板材にあご紐が設けられ、
前記あご紐が、長さ調整可能とされて、前記保護部材を前記厚板材に押し付けるためにも用いられるように設定されている、
ことを特徴とする簡易ヘルメット。
【請求項６】
請求項２において、
前記伸縮筒の外周側に、該伸縮筒の伸張時に該伸縮筒の全周を囲むようにして布製筒材が配置され、
前記布製筒材の一端側外周が前記貫通孔内周面に前記伸縮筒よりも外周側において取付けられ、
前記布製筒材の他端側が前記保護部材の内面周縁部に取付けられている、
ことを特徴とする簡易ヘルメット。
【請求項７】
請求項２において、
前記伸縮筒が、複数の筒体をテレスコピック状にスライド可能に保持する構成とされている、
ことを特徴とする簡易ヘルメット。
【請求項８】
請求項１〜７のいずれか１項において、
前記厚板材が平面視長方形に形成され、
前記貫通孔が、平面視楕円状開口に形成されていると共に、該貫通孔における楕円状開口の長軸が前記厚板材の長手方向に向けられていると共に、該貫通孔における楕円状開口の短軸が該厚板材の幅方向に向けられている、
ことを特徴とする簡易ヘルメット。
【請求項９】
請求項１〜８のいずれか１項において、
前記保護部材の内面が、前記伸縮筒内において、緩衝材を備えている、
ことを特徴とする簡易ヘルメット。
【考案の詳細な説明】
【技術分野】
【０００１】
本考案は、嵩張らずに保管、収納できると共に、災害時に人の頭部を迅速に保護できる簡易ヘルメットに関するものである。
【背景技術】
【０００２】
近時、地震等の災害を考慮して、金属或いは強化プラスチック製の略半球状のヘルメットが準備、保管される傾向にある。ヘルメットを被れば、地震等の災害時に使用者の頭部を保護することができるからである。しかし、上記ヘルメットは、人間の頭部よりもやや大きめの大きさを有しており、その保管のためには、そのヘルメットの大きさに応じた保管スペースが必要となる。特に、保管すべきヘルメットの数が多いような場合には、重ねて保管するとしても、比較的大きな保管スペースが必要となる。
【０００３】
このため、上記点を考慮し、通常（不使用時）は、折り畳んで平板状としておき、使用時には、それを組み立てて立体的な半球状多面体に形成する簡易ヘルメットが提案されている（特許文献１参照）。このものによれば、不使用時には、平板状に折り畳まれていることから、保管スペースを少なくできると共に、携帯性をも具備できることになる。
【先行技術文献】
【特許文献】
【０００４】
【特許文献１】特開２００９−０６２６６４号公報
【考案の概要】
【考案が解決しようとする課題】
【０００５】
しかし、上記簡易ヘルメットにおいては、使用時に、折り畳まれた状態から組み立てなければならず、迅速に頭部を保護する必要性が高い一方で、冷静な状態でいることが難しい災害時等において、組み立て作業を行うことは好ましくない。
【０００６】
本考案は、上記実情に鑑みてなされたものであり、その技術的課題は、保管スペースを極力少なくできると共に、迅速に使用状態にできる簡易ヘルメットを提供することにある。
【課題を解決するための手段】
【０００７】
上記技術的課題を達成するために本考案（請求項１に係る考案）にあっては、
人の頭部が進入可能とされる貫通孔を有し該該貫通孔を区画しつつ該貫通孔から周囲に張り出した状態とされる厚板材と、
前記厚板材の貫通孔内に伸縮可能に収納され、一端側が前記貫通孔内周面に保持されている一方、他端側が該厚板材の肉厚方向一方側板面から該肉厚方向一方側外方に伸張可能とされている伸縮筒と、
前記伸縮筒の他端側に前記貫通孔を覆うように設けられて、外部からの衝撃を緩和する保護部材と、
が備えられている、
ことを特徴とする簡易ヘルメットとした構成とされている。この請求項１の好ましい態様としては、請求項２以下の記載のとおりとなる。
【考案の効果】
【０００８】
本考案（請求項１に係る考案）によれば、使用しない通常時には、厚板材の貫通孔内に伸縮筒を短縮状態で収納しておくことができることになり、全体として、略一枚の厚板材にまとめることができる。その一方、使用時には、貫通孔内に厚板材の肉厚方向他方側から頭部を入れつつ、厚板材を押し下げれば、保護部材に対する頭部による押圧力により、伸縮筒は、直ちに、厚板材の肉厚方向一方側に伸張することになり、その伸張した伸縮筒内に頭部が入って、その頭部は保護部材により保護される。このため、保管スペースを極力少なくできると共に、迅速に使用状態にできる簡易ヘルメットを提供できる。
【０００９】
請求項２に係る考案によれば、保護部材が板状に形成されていると共に、板状の保護部材の周縁部が、伸縮筒の短縮時において貫通孔の周縁部に当接されるように設定されていることから、保護部材が伸縮筒の短縮時の蓋ないしはストッパとして働き、伸縮筒を厚板材の貫通孔内に的確に収納できる。
しかも、保護部材が板状であることから、伸縮筒の貫通孔内への収納時に、厚板材の肉厚方向に全体の厚みが増大することを極力抑えることができる。
【００１０】
請求項３に係る考案によれば、保護部材の肉厚が径方向内方に向かうほど厚くなるように設定されていることから、保護部材の厚みを極力抑えつつ、外部からの衝撃を効果的に緩和（吸収）できることになる。このため、使用しない通常時には、全体の厚みを極力、抑えることができ、使用時には、外部からの衝撃を効果的に緩和してヘルメットとしての役割を的確に果たすことができる。
【００１１】
請求項４に係る考案によれば、貫通孔が、厚板材の肉厚方向一方側から厚板材の肉厚方向他方側に向かうに従って拡径されるように形成され、貫通孔における厚板材の肉厚方向他方側開口が、保護部材を収納できる大きさに設定されていることから、使用しない通常時の形態をもって、当該簡易ヘルメットを重ねれば、下段側の簡易ヘルメットの保護部材が上段側の簡易ヘルメットの貫通孔内に収納されて、ほぼ傾くことなく多く積み重ねることができる。このため、当該簡易ヘルメットを効率よく保管でき、保管スペースを少なくできる。
【００１２】
請求項５に係る考案によれば、厚板材にあご紐が設けられ、あご紐が、長さ調整可能とされて、保護部材を厚板材に押し付けるためにも用いられるように設定されていることから、保護部材及び伸縮筒が不用意に飛び出すことを確実に規制でき、使用しない通常時には、常に、略厚板材の状態にしておくことができる。
【００１３】
請求項６に係る考案によれば、伸縮筒の外周側に、該伸縮筒の伸張時に該伸縮筒の全周を囲むようにして布製筒材が配置され、布製筒材の一端側外周が貫通孔内周面に伸縮筒よりも外周側において取付けられ、布製筒材の他端側が保護部材の内面周縁部に取付けられていることから、使用時には、伸縮筒の伸張に伴い布製筒材が伸張して、外部側方からの飛散物等に対して頭部を伸縮筒と布製筒材とにより保護できる。しかも、筒材が布製であることから、見栄えを向上させることができると共に、柔らかさ感をだすことができる。
【００１４】
請求項７に係る考案によれば、伸縮筒が、複数の筒体をテレスコピック状にスライド可能に保持する構成とされていることから、伸縮筒として、伸張時に伸張抵抗を極力抑えたものを具体的に提供できる。
【００１５】
請求項８に係る考案によれば、厚板材が平面視長方形に形成され、貫通孔が、平面視楕円状に開口されていると共に、貫通孔における楕円状開口の長軸が厚板材の長手方向に向けられていると共に、貫通孔における楕円状開口の短軸が該厚板材の幅方向に向けられていることから、使用しない通常時には、最も取扱い易く、しかも、保管し易い平面視長方形の厚板材状のものにでき、使用時には、平面視長方形の厚板材状のものを基本部分として、ヘルメットとして的確に機能させることができる。
【００１６】
請求項９に係る考案によれば、保護部材の内面が、伸縮筒内において、緩衝材を備えていることから、使用時に、人間の頭部に対する衝撃力の影響を、一層低減できる。
【図面の簡単な説明】
【００１７】
【図１】実施形態に係る簡易ヘルメットの不使用状態（収納状態）を示す斜視図。
【図２】図１の正面図。
【図３】図２の状態から使用状態に移行した状態を示す説明図。
【図４】不使用状態にある簡易ヘルメットを示す一部拡大縦断面図。
【図５】実施形態に係る簡易ヘルメットを被って使用者の頭部を保護している状態（使用状態）を説明する一部破断説明図。
【図６】実施形態に係る簡易ヘルメットの内部構造を説明する説明図。
【図７】実施形態に係る簡易ヘルメットを積み重ねて保管している状態を説明する説明図。
【考案を実施するための形態】
【００１８】
以下に、本考案の実施形態について図面に基づいて説明する。
図１〜図６において、符号１は、実施形態に係る簡易ヘルメットを示す。この簡易ヘルメット１は、貫通孔２を有する厚板材３と、その厚板材３の貫通孔２内に収納される伸縮筒４と、厚板材３の貫通孔２を覆う保護部材としてしての保護板５と、を備えている。
【００１９】
前記厚板材３は、図１〜図４に示すように、ＡＢＳ樹脂等の耐衝撃性に優れた樹脂を用いて平面視長方形の厚板となるように一体成形されている。具体的には、厚板材３は、その長手方向の長さが人間頭部の前後方向の長さよりも十分長くされ（例えば、Ｂ５，Ａ４，Ｂ４用紙の各長辺長さ程度）、その幅方向の長さが人間頭部の左右方向の長さよりも幾分長くされ（例えば、Ｂ５，Ａ４，Ｂ４用紙の各短辺長さ程度）、その厚みは、必要強度との関係から比較的厚く形成されている（例えば３〜５ｃｍ程度）。この厚板材３には、人間頭部を的確に挿入できるようにすべく、前記貫通孔２が、該厚板材３の長手方向中央であって幅方向中央において、開口を楕円状にして形成されている。貫通孔２は、その貫通孔２における楕円状開口の長軸が厚板材３の長手方向に向けられ、その楕円状開口の短軸が厚板材３の幅方向に向けられている。これにより、厚板材の長手方向が、使用時（人間頭部収納時）における前後方向とされ、厚板材の幅方向が、使用時における左右方向とされている。また、厚板材３は、その肉厚方向一方側面が上面とされ、厚板材３の肉厚方向他方側面が下面とされており、貫通孔２は、厚板材３の上面から下面に向かうに従って次第に拡径されるように設定されている。しかも、少なくとも、貫通孔２における下側部分は、厚板材３の長手方向において、人間頭部の前後方向長さが確保され、厚板材３の幅方向においては、人間頭部における左右方向長さが確保されている。
【００２０】
前記伸縮筒４は、図４〜図６に示すように、重なり合った複数の筒体４ａが伸び縮み（スライド）する構造（テレスコピック）とされている。この伸縮筒４も、その筒開口が前記貫通孔２に対応させて楕円状に形成されており、その伸縮筒４内に人間頭部が収納できることになっている。この伸縮筒４における各筒体４ａの軸心方向長さは、厚板材３の肉厚ないしはそれよりもやや短めの長さに形成されており、その基端側における筒体４ａ（図４〜図６中、最下段の筒体４ａ）の外周面は、貫通孔２内周面に、その貫通孔２の軸心延び方向外方に突出することなく取付けられている。このため、伸縮筒４は、短縮時には、貫通孔２内に完全に収納され（図４参照）、伸張時には、基端側筒体４ａよりも先端側の各筒体４ａは厚板材３の上面から離間する方向に伸張することになっている。この伸縮筒４の各筒体４ａとしては、例えばナイロン製のものが用いられている。
【００２１】
前記保護板５は、図１〜図６に示すように、前記伸縮筒４の先端部にその伸縮筒４の先端開口を覆うように取付けられている。この保護板５は、その周縁部下面が、伸縮筒４の短縮時に、貫通孔２の上側開口周縁部の上面に当接するように設定されており（図４参照）、その平面視形状も、貫通孔２の開口に対応して、楕円状に形成されている。この保護板５は、その内面（下面）が平坦に形成されている一方、その保護板５の肉厚は、その径方向内方に向かうほど厚くなるように設定されており（例えば、最大厚みは３ｍｍ〜１ｃｍ程度）、その径方向内方側ほど、衝撃緩和能力（衝撃吸収能力）が高められている。しかも、本実施形態においては、保護板５の材料として、耐衝撃性に優れた材料、例えばＡＢＳ樹脂が用いられている。また、この保護板５の内面には、衝撃力を緩和するべく緩衝材６が取付けられている。この緩衝材６としては、種々のものを用いることができるが、ＡＢＳ樹脂層、発泡スチロール層、及びウレタン層の３層からなるものが、緩衝性を確保する観点から好ましい。
【００２２】
前記保護板５と前記厚板材３との間には、図４〜図６に示すように、布製の筒材７が設けられている。この筒材７も、前記貫通孔２に対応して形成されており、その一端側外周が伸縮筒４における基端側筒体４ａよりも外周側において貫通孔２内周面に取付けられ、その他端部が前記保護板５の周縁部内面に取付けられている。これにより、布製筒材７は、伸縮筒４を内部に常に収納した状態となっており、布製筒材７は、伸縮筒４の短縮時には、伸縮筒４と共に貫通孔２内に収納され、伸縮筒４の伸張時には、伸縮筒４と共に厚板材３上面の上方に伸張することになっている。この布製筒材７としては、強度の強い生地、例えば、防火性のあるナイロン製等が用いられる。
【００２３】
前記厚板材３には、図１〜図３、図５に示すように、あご紐８が取付けられている。あご紐８は、その両端部が厚板材３の幅方向両側部分に、その厚板材３の長手方向中央部において取付けられており、そのあご紐８は、厚板材３の幅方向両側間に掛け渡されている。このあご紐８には、その途中において、ワンタッチバックル９が介在されており、そのワンタッチバックル９における雄金具と雌金具とによりあご紐８の一方側の紐部８ａと他方側の紐部８ｂとが着脱可能に連結されている。また、このあご紐８は、ワンタッチバックル９に対する一方側の紐部９ａ又は他方側の紐部９ｂの連結位置を調整することにより、全体の長さ調整を行うことができることになっている。
【００２４】
このような簡易ヘルメット１においては、使用しない通常時には、図１，図２に示すように、厚板材３の貫通孔２内に伸縮筒４が短縮状態で収納されると共に、保護板５の周縁部が貫通孔２の上側開口周縁部上面に当接されて、その保護板５により貫通孔２が覆われる。そして、図１に示すように、あご紐８が厚板材３の幅方向両側部分に対して上面側を経由して掛け渡され、そのあご紐８の長さ調整によりそのあご紐８をもって保護板５が貫通孔２の上側開口周縁部上面に押し付けられる。このため、使用しない通常時においては、伸縮筒４等が厚板材３から不用意に突出することを防止できると共に、全体形状を略１枚の厚板材３にコンパクトにまとめることができることになる。
【００２５】
しかも、本実施形態においては、厚板材３における貫通孔２の下側開口がその上側開口よりも大きくされて、その開口の大きさが保護板５を収納できる大きさとされていることから、図７に示すように、使用しない通常時の簡易ヘルメット１（厚板材３の状態）を積み重ねた場合には、下段側の簡易ヘルメット１における保護板５及びあご紐８等が上段側の簡易ヘルメット１の下側開口内に入り込み、その積み重ねた簡易ヘルメット１をほとんど傾かせることなく整然と積み上げることができる。これにより、限られた保管スペースであっても、多くの簡易ヘルメット１を効率よく保管できる。
【００２６】
使用時においては、あご紐８におけるワンタッチバックル９における雄金具と雌金具とを外した上で、その簡易ヘルメット１の厚板材３を手に持ち、貫通孔２の下側開口に頭部１０を臨ませつつ、その厚板材３を頭部１０に抗して押し下げる（図５参照）。これにより、頭部１０が保護板５を押し上げることになり、これに伴い、図５に示すように、伸縮筒４が上方に伸張されると共に、その伸縮筒４内に使用者の頭部１０が入り込む。このため、組み立て作業を行うことなく直ちに、簡易ヘルメット１を使用状態にでき、以後、この簡易ヘルメット１の保護板５、伸縮筒４、さらには、布製筒材７により、使用者の頭部１０を保護できる。
【００２７】
このようにして、頭部１０に簡易ヘルメット１を被った後は、必要に応じて、あご紐８の長さ調整を行った上で、ワンタッチバックル９により一方側の紐部８ａと他方側の紐部８ｂとを連結し、簡易ヘルメット１が頭部１０から抜けないようにする。勿論、あご紐８の長さについては、予め調整を行っておくことが好ましい。
【００２８】
以上実施形態について説明したが本考案にあっては、次のような態様を包含する。
（１）伸縮筒４として、蛇腹形式の筒を用いること。
（２）布製筒材７は必ずしも必要ではなく、布製筒材７を省いて伸縮筒４だけを設けるようにしてもよいこと。
（３）保護板５を３ｍｍ前後の肉厚を有する湾曲状のものに形成し、その湾曲状の保護板５内に緩衝材６を設けて緩衝材６の量（上下方向厚み）を中央部ほど厚くすること。
【００２９】
本考案の目的は、明記されたものに限らず、実質的に好ましいあるいは利点として表現されたものを提供することをも暗黙的に含むものである。
【符号の説明】
【００３０】
１  簡易ヘルメット
２  貫通孔
３  厚板材
４  伸縮筒
５  保護板
６  緩衝材
７  布製筒材
８  あご紐
１０  頭部
【図１】
0003173012.tif 000003
【図２】
0003173012.tif 000004
【図３】
0003173012.tif 000005
【図４】
0003173012.tif 000006
【図５】
0003173012.tif 000007
【図６】
0003173012.tif 000008
【図７】
0003173012.tif 000009